Podtech/llm-jp-corpus-v4-ja_patent huggingface dataset:
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
遊技媒体が打ち込まれる遊技領域が形成された遊技板と、
前記遊技領域の略中央に配置され、遊技媒体が進入可能に構成された役物と、
前記役物内に配置され、前記役物内を転動する遊技媒体を特定流入口及び非特定流入口のいずれかに振り分ける振分手段と、を備え、
前記特定流入口及び前記非特定流入口のうち、前記特定流入口に遊技媒体が振り分けられたことに応じて遊技者に所定の利益を付与する大当たり遊技状態の発生の有無を示唆する遊技機であって、
前記役物に設けられ、該役物内に進入した遊技媒体を、該遊技媒体が前記振分手段に供給される前に検出する入球検出手段と、
前記入球検出手段による前記遊技媒体の検出に基づいて、前記役物内に進入した遊技媒体を前記特定流入口に振り分けるか否かを所定の抽選確率で抽選して決定する抽選手段と、
前記抽選手段により前記特定流入口に遊技媒体を振り分ける旨決定された場合、前記役物内に進入した遊技媒体が前記特定流入口に流入するように前記振分部材を制御する一方、前記抽選手段によって前記特定流入口に遊技媒体を振り分けない旨決定された場合、前記役物内に進入した遊技媒体が前記非特定流入口に流入するように前記振分部材を制御する振分制御手段と、
前記遊技領域の前記役物が配置される位置とは異なる位置に配置される大入賞口と、
前記抽選手段により前記特定流入口に遊技媒体を振り分ける旨決定されたことに基づき、前記振分制御手段によって前記特定流入口へ遊技媒体が振り分けられた後に、前記大入賞口を複数回開閉させることで前記大当たり遊技状態に制御する大当たり遊技制御手段と、を備え、
前記抽選手段によって前記特定流入口に遊技媒体を振り分ける決定がなされない限り前記振分制御手段によって前記特定流入口に遊技媒体が振り分けられないようにし、前記役物内の前記特定流入口へ遊技媒体が流入するか否かで前記大当り遊技状態の発生が示されるようにしながらも、
前記抽選手段による抽選にて前記特定流入口に遊技媒体を振り分ける旨決定されていない限りはたとえ前記特定流入口に遊技媒体が流入したとしても前記大当たり遊技状態を発生しないことを特徴とする遊技機。
【請求項２】
前記遊技領域に向けて遊技媒体を打ち込む発射手段を備えることを特徴とする請求項１記載の遊技機。
【請求項３】
前記入球検出手段による前記遊技媒体の検出に基づいて乱数を取得する乱数取得手段を備え、
前記抽選手段は、前記乱数取得手段により取得された乱数に基づいて抽選を行うことを特徴とする請求項１または請求項２に記載の遊技機。
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を開始し表示結果を導出表示する可変表示手段を備え、該可変表示手段における識別情報の表示結果が特定表示結果となったときに遊技者にとって有利な特定遊技状態に制御する遊技機であって、
通常遊技状態と、前記特定遊技状態とは異なる遊技状態であって、前記通常遊技状態よりも遊技者にとって有利な特別遊技状態と、を含む複数の遊技状態のいずれかに制御する遊技状態制御手段と、
遊技状態が前記通常遊技状態に制御されているときと前記特別遊技状態であるときとで共通の演出状態に制御する演出モード制御手段と、
前記共通の演出状態に制御されてからの前記識別情報の可変表示の実行回数を計数する回数計数手段と、
前記演出モード制御手段により前記共通の演出状態に制御されている場合において、遊技機に設けられている演出装置を用いて報知演出を実行する報知演出実行手段と、を備え、
前記報知演出実行手段は、前記回数計数手段により計数された前記識別情報の可変表示の実行回数が所定回数になったときに、前記通常遊技状態に制御されている場合よりも前記特別遊技状態に制御されている場合に高い割合で前記報知演出を実行する
ことを特徴とする遊技機。
【手続補正２】
【補正対象書類名】明細書
【補正対象項目名】００１９
【補正方法】変更
【補正の内容】
【００１９】
識別情報は、第１識別情報と、第１識別情報とは異なる第２識別情報とを含み、可変表示手段は、第１始動領域を遊技媒体が通過したことにもとづいて第１識別情報の可変表示を開始し表示結果を導出表示する第１可変表示手段と、第２始動領域を遊技媒体が通過したことにもとづいて第２識別情報の可変表示を開始し表示結果を導出表示する第２可変表示手段とを含み、第１可変表示手段または第２可変表示手段のいずれかにおける表示結果が特定表示結果になったときに特定遊技状態に制御し、第１可変表示手段または第２可変表示手段のいずれかにおける識別情報の表示結果が特殊表示結果になったときに特定遊技状態よりも低い遊技価値を遊技者に付与する特殊遊技状態に制御する遊技機であって、第１始動領域を遊技媒体が通過した後、または第２始動領域を遊技媒体が通過した後に識別情報の可変表示の開始を許容する開始条件が成立したことにもとづいて、特定遊技状態に移行させるか否かと、特殊遊技状態に移行させるか否かとを表示結果の導出表示以前に決定する事前決定手段と、事前決定手段の決定結果にもとづいて、第１識別情報または第２識別情報の変動パターン種別を複数種類のいずれかに決定する変動パターン種別決定手段と、変動パターン種別決定手段により決定された変動パターン種別に含まれる変動パターンの中から第１識別情報または第２識別情報の変動パターンを決定する変動パターン決定手段とを備え、事前決定手段は、第１始動領域を遊技媒体が通過した場合と、第２始動領域を遊技媒体が通過した場合とで、異なる割合で特殊遊技状態に移行させると決定するように構成されることによって、設計段階で各変動パターンの出現率の振分を容易に変更することができ、遊技機の開発者の負担を軽減することができる。遊技球が第２始動領域を通過しやすい特別遊技状態中に、特殊遊技状態に移行する割合を低くして、当該特別遊技状態中の特殊遊技状態についての演出回数を減少させ、他の演出の効果を向上させることができる。
【手続補正３】
【補正対象書類名】明細書
【補正対象項目名】００２０
【補正方法】変更
【補正の内容】
【００２０】
識別情報の可変表示の開始を許容する開始条件が成立したことにもとづいて、特定遊技状態に移行させるか否かを表示結果の導出表示以前に決定する事前決定手段を備え、事前決定手段は、特定遊技状態に移行させると決定した場合に、特定遊技状態の終了後に特別遊技状態に制御する期間を第１の期間、または第１の期間よりも長い第２の期間にすると決定し、第１の期間は、特定遊技状態が終了してから識別情報の可変表示が所定回数実行されるまでの期間であり、報知演出実行手段は、事前決定手段によって特別遊技状態に制御する期間を第２の期間にすると決定された場合に、第１の期間にすると決定された場合よりも高い割合で、第１の期間が終了するときに報知演出を実行するように構成されることによって、特別遊技状態が終了するのか、または継続するのかが第１の期間が終了するときの識別情報の可変表示時に報知演出によって報知され、当該可変表示に対する遊技者の期待感を強烈に惹きつけることができ、遊技興趣を向上させることができる。
【手続補正４】
【補正対象書類名】明細書
【補正対象項目名】００２１
【補正方法】変更
【補正の内容】
【００２１】
遊技状態制御手段は、事前決定手段の決定結果にもとづいて、特定遊技状態が終了した後、第１の期間または第２の期間が終了するまで遊技状態を特別遊技状態に制御し、回数計数手段は、遊技制御手段によって特別遊技状態に制御されているときに、事前決定手段によって特定遊技状態に移行させると決定され、当該特定遊技状態の終了後に特別遊技状態に制御する期間を第１の期間、または第２の期間にすると決定された場合に、新たに識別情報の可変表示の実行回数の計数を開始し、報知演出実行手段は、回数計数手段による新たな計数結果にもとづいて、報知演出を実行するように構成されることによって、遊技状態制御手段と報知演出実行手段との特別遊技状態に制御される期間の始期および終期の整合をとることができる。
【手続補正５】
【補正対象書類名】明細書
【補正対象項目名】００２２
【補正方法】変更
【補正の内容】
【００２２】
報知演出実行手段は、回数計数手段が計数する回数が所定回数に至る前の識別情報の可変表示時に、当該可変表示の回数に応じて段階的に、報知演出を実行する可能性があることを予告する予告演出を実行可能であるように構成されることによって、どのタイミングで報知演出が実行される可能性があるのかを予告演出により報知し、報知演出が見逃されてしまう可能性を低減することができる。
【手続補正６】
【補正対象書類名】明細書
【補正対象項目名】００２３
【補正方法】変更
【補正の内容】
【００２３】
報知演出実行手段は、回数計数手段が計数する回数が所定回数となるときの識別情報の可変表示の時間が所定の時間よりも短い場合に、当該可変表示の次の可変表示時に、報知演出とは異なる特別演出を実行するように構成されることによって、報知演出が途中で終了してしまうことを防止することができるとともに、当該可変表示（通常、報知演出が実行されるタイミング）の次の可変表示時に特別演出が実行され、特別遊技状態に関する演出が実行されないと遊技者に思わせた上で救済的に特別遊技状態に関する演出（特別演出）が実行され、遊技興趣を向上させることができる。
【手続補正書】
【提出日】平成24年2月15日(2012.2.15)
【手続補正１】
【補正対象書類名】明細書
【補正対象項目名】０００１
【補正方法】変更
【補正の内容】
【０００１】本装置は、電源を太陽光発電から蓄電池に蓄え、必要に応じて点火装置と該ＩＣレコーダー音声発生装置（以下ＩＣレコーダーと言う）に通電をして使用する。
又、本装置を設置する場所に応じて、太陽光発電と蓄電池の利用を廃して定格電源（１００ボルト）の使用が出来る所では、該１００ボルトから１２ボルトのＤＣコンバーターを用い、本装置の内部の適切な場所に配置して線香の点火装置のブロープラグとＩＣレコーダーの電源として利用する。
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
噴霧器であって、
メイン本体部（１）と、
該噴霧器から小滴のスプレーとして液体を吐出すように該液体を霧化する霧化器（２）と、
振動要素（２２、２３）と
を備え、
該霧化器は、
平坦な基板（４）と、
該平坦な基板によって支持された、該液体を含むためのメイン容器（１６）であって、該メイン容器を区切るために、底部の外側表面、平坦な頂部の内側表面、および該頂部の表面から直立する外側壁部（１６ａ）を有する、メイン容器（１６）と、
該メイン容器（１６）上に配置された、吐出される該液体の所定の量を区切るための計量投与リザーバ（１８）であって、そこに組み立てられるときに、上部表面（１８ｔ）、および該上部表面（１８ｔ）から該メイン容器（１６）に向かって下方に延在する壁部（１８ａ）を有する、計量投与リザーバ（１８）と
を備え、
該計量投与リザーバ（１８）は、
該所定の量の液体を規定する中空の区画（１８ｃ）と、
該上部表面（１８ｔ）から下方に延在する中実の区画（１８ｄ）と、
該上部表面（１８ｔ）を横断し、該中実の区画（１８ｄ）内に配置されたホールである中央の区画（１８ｅ）と、
該中央の区画（１８ｅ）の該ホールの底部に配置された、該ホールを密封するためのオリフィス膜プレート部（２２）と、
該中実の区画（１８ｄ）の底部表面と、該メイン容器（１６）の該平坦な頂部の内側表面との間に配置された、該中空の区画（１８ｃ）と該オリフィス膜プレート部（２２）との間の毛管状の連絡を作り出すための毛管状の流体チャネル（２１）と
を備える、噴霧器。
【請求項２】
前記計量投与リザーバは、前記毛管状の流体チャネル（２１）の上に配置された頂部の密封表面（１８−１）を有し、それにより、該毛管状の流体チャネル（２１）は、該頂部表面（１８−１）と前記振動要素の頂部表面との間に閉じ込められる、請求項１に記載の噴霧器。
【請求項３】
前記計量投与リザーバ（１８）は、使い捨ての部分として提供される、請求項１または請求項２に記載の噴霧器。
【請求項４】
前記メイン容器（１６）は、使い捨ての部分として提供される、請求項１または請求項２に記載の噴霧器。
【請求項５】
前記メイン本体部（１）は、電子回路網と、前記振動要素（２２、２３）と、該振動要素に給電するための電源とを備えることにより、前記霧化器内の液体に作用し、それによって、該液体は、小滴のスプレーとして吐出される、請求項１〜請求項４のうちのいずれか一項に記載の噴霧器。
【請求項６】
前記噴霧器（２）は、前記振動要素（２２、２３）を含み、前記メイン本体部（１）は、該振動要素に給電するための電源を含むことにより、前記霧化器内の液体に作用し、それによって、該液体は、小滴のスプレーとして吐出される、請求項１〜請求項４のうちのいずれか一項に記載の噴霧器。
【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
熱間静水圧加圧され均質化された、金属の整形外科用移植片構成要素を入手する工程と、
前記熱間静水圧加圧され均質化された構成要素上にセラミックコーティングを沈着させる工程と、
を含み、
前記沈着させる工程は、
前記熱間静水圧加圧され均質化された金属基材上に第１のバンドを沈着させる工程であって、前記第１のバンドは、前記基材上に沈着した窒化チタン、チタン炭窒化物、又は窒化チタン及びチタン炭窒化物の両方を含む、工程と、
前記第１のバンド上に沈着した窒化チタン、チタン炭窒化物、又は窒化チタン及びチタン炭窒化物の両方の、約３０〜５０の後層を含む第２のバンドを沈着させる工程であって、各層が、約１μｍ（約１ミクロン）未満の厚さを有する、工程と、
酸化アルミニウムを含む第３のバンドを沈着させる工程と、
によるものである、整形外科用移植片構成要素を作製する方法。
【請求項２】
前記第２のバンドが、窒化チタン、チタン炭窒化物、又は窒化チタン及びチタン炭窒化物の両方の、ＣＶＤで沈着した層を複数含む、請求項１に記載の方法。
【請求項３】
前記第２のバンドと前記第３のバンドの前記酸化アルミニウムとの間に接着バンドを沈着させる工程を更に含む、請求項１に記載の方法。
【請求項４】
前記金属の整形外科用移植片構成要素が、コバルト−クロム合金であり、前記第１のバンドが、窒化チタンを含み、約３μｍ（約３ミクロン）未満の厚さを有する、請求項２に記載の方法。
【請求項５】
前記第１のバンドが、１μｍ（１ミクロン）超かつ３μｍ（３ミクロン）未満の厚さを有し、前記第２のバンドが、ＴｉＣＮおよびＴｉＮが交互に重なる層を有し、各層が、約０．１μｍ〜１μｍ未満（約０．１ミクロン〜１ミクロン未満）の厚さを有し、前記第１のバンドと前記第２のバンドとを組み合わせた厚さが、約３〜２０μｍ（約３〜２０ミクロン）である、請求項４に記載の方法。
【請求項６】
前記第３のバンドが、約２〜１５μｍ（約２〜１５ミクロン）の厚さを有する、請求項５に記載の方法。
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる複数の循環表示手段と、
前記絵柄の循環表示を開始させるべく操作される開始操作手段と、
役の抽選を行う抽選手段と、
前記各循環表示手段の循環表示を個別に停止させるべく操作される複数の停止操作手段と、
前記開始操作手段の操作に基づいて前記各循環表示手段の循環表示を開始させるとともに、前記停止操作手段の操作に基づいて対応する循環表示手段の循環表示を停止させるように、前記各循環表示手段を表示制御する表示制御手段と、
前記役の抽選に当選した当選役と対応する当選絵柄が有効位置に所定の組合せを形成して停止した場合、入賞成立として遊技者に特典を付与する特典付与手段と
を備えた遊技機において、
所定の設定操作がなされたことに基づいて、遊技媒体の受入に対する払出の割合に関わる設定情報を設定する設定手段と、
前記設定情報を示唆可能な示唆手段と、
前記設定情報に基づいて、前記抽選手段が前記役の抽選を行う場合に用いる抽選情報を選択する選択手段と、
前記停止操作手段が操作された場合に対応する循環表示手段の循環表示を停止させることが可能となる停止可能期間を設定するとともに、前記停止可能期間として、第１停止可能期間と、前記第１停止可能期間より長い第２停止可能期間と、を少なくとも設定可能な停止可能期間設定手段と、
前記停止可能期間が終了した場合、前記停止操作手段の操作有無に関わらず循環表示している循環表示手段を強制停止させる強制停止手段と
を備え、
前記強制停止手段を、前記役の抽選結果が当選であっても当選絵柄が前記有効位置に所定の組合せを形成しないように前記循環表示手段を強制停止させる構成とし、前記示唆手段を、前記停止可能期間設定手段が前記停止可能期間として前記第２停止可能期間を設定し、前記停止可能期間が開始されてから前記第１停止可能期間を経過した後に前記設定情報を示唆する構成としたことを特徴とする遊技機。
【請求項２】
前記停止可能期間設定手段が前記第２停止可能期間を設定した場合に特定補助演出を実行可能な補助演出実行手段を備え、前記補助演出実行手段を、前記停止可能期間設定手段が前記第１停止可能期間を設定した場合にも前記特定補助演出を実行可能な構成としたことを特徴とする請求項１に記載の遊技機。
【請求項３】
前記停止可能期間設定手段の設定結果を報知する報知手段を不具備としたことを特徴とする請求項１又は請求項２に記載の遊技機。
【請求項４】
前記各循環表示手段の少なくとも１つには、前記第１特定役と対応する第１特定絵柄を前記有効位置に到達させることが可能なタイミングで対応する停止操作手段が操作された場合に前記第２特定役と対応する第２特定絵柄を前記有効位置に到達させることができず、前記第２特定絵柄を前記有効位置に到達させることが可能なタイミングで対応する停止操作手段が操作された場合に前記第１特定絵柄を前記有効位置に到達させることができないよう、前記第１特定絵柄と前記第２特定絵柄を離間して配置し、前記停止可能期間設定手段を、前記役の抽選結果が前記第１特定役当選又は前記第２特定役当選である場合に、前記第２停止可能期間を設定可能な構成としたことを特徴とする請求項１乃至請求項３のいずれかに記載の遊技機。
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる複数の循環表示手段と、
前記絵柄の循環表示を開始させるべく操作される開始操作手段と、
役の抽選を行う抽選手段と、
前記各循環表示手段の循環表示を個別に停止させるべく操作される複数の停止操作手段と、
前記開始操作手段の操作に基づいて前記各循環表示手段の循環表示を開始させるとともに、前記停止操作手段の操作に基づいて対応する循環表示手段の循環表示を停止させるように、前記各循環表示手段を表示制御する表示制御手段と、
前記役の抽選に当選した当選役と対応する当選絵柄が有効位置に所定の組合せを形成して停止した場合、入賞成立として遊技者に特典を付与する特典付与手段と
を備えた遊技機において、
前記循環表示手段が循環表示する循環表示期間を設定する循環表示期間設定手段と、
前記循環表示期間が終了した場合、前記停止操作手段の操作有無に関わらず循環表示している循環表示手段を強制停止させる強制停止手段と、
前記役の抽選結果が第１特定役当選である場合、前記循環表示期間に前記停止操作手段が操作されたことに基づいて、当該遊技回が終了した際の遊技結果を第１遊技結果とする第１手段と、
前記役の抽選結果が前記第１特定役当選である場合、前記強制停止手段が前記循環表示手段の循環表示を停止させたことに基づいて、当該遊技回が終了した際の遊技結果を前記第１遊技結果より遊技者に有利な第２遊技結果とする第２手段と、
前記役の抽選結果が第２特定役当選である場合、前記循環表示期間に前記停止操作手段が操作されたことに基づいて、当該遊技回が終了した際の遊技結果を第３遊技結果とする第３手段と、
前記役の抽選結果が前記第２特定役当選である場合、前記強制停止手段が前記循環表示手段の循環表示を停止させたことに基づいて、当該遊技回が終了した際の遊技結果を前記第３遊技結果より遊技者に不利な第４遊技結果とする第４手段と、
前記役の抽選結果を特定できない特定補助演出を実行可能な補助演出実行手段と、
前記特定補助演出を実行するか否かを決定する決定手段と
を備え、
前記決定手段は、前記役の抽選結果が前記第１特定役当選又は前記第２特定役当選であることに基づいて、前記特定補助演出を実行すると決定することを特徴とする遊技機。
【請求項２】
前記第２遊技結果と前記第３遊技結果は遊技者の有利度合いが等しいことを特徴とする請求項１に記載の遊技機。
【請求項３】
前記第１手段は、前記第１遊技結果として、遊技を行うための遊技媒体を最小数付与し、前記第４手段は、前記第４遊技結果として、前記遊技媒体を付与しないことを特徴とする請求項１又は請求項２に記載の遊技機。
【請求項４】
前記第２手段及び前記第３手段は、所定の終了条件が成立するまで遊技状態を遊技者に有利な特定遊技状態に移行させる特典を付与することを特徴とする請求項１乃至請求項３のいずれかに記載の遊技機。
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
絵柄を変化表示させる変化表示手段と、
抽選を行う抽選手段と、
前記絵柄の変化表示を制御する制御手段と、
前記抽選手段の抽選結果が当選であって、有効位置に前記抽選結果と対応する絵柄が停止した場合、遊技者に特典を付与する特典付与手段と
を備えた遊技機において、
前記制御手段を有するとともに遊技の進行を管理する管理手段を備え、
当該管理手段は、
異常が発生したか否かを検知する検知処理を実行する検知処理実行手段と、
前記検知処理実行手段が前記異常の発生を検知した場合、異常が発生したことを示す異常発生情報を前記管理手段外部に出力する出力処理を実行する出力処理実行手段と、
前記検知処理実行手段が前記異常の発生を検知した場合、前記絵柄の変化表示が終了したことに基づいて遊技の進行を停止させる異常処理を実行する異常処理実行手段と
を備え、
前記出力処理実行手段は、前記絵柄の変化表示が行われている最中に前記検知処理実行手段が前記異常の発生を検知した場合、前記絵柄の変化表示が終了する前に前記異常発生情報を前記管理手段外部に出力することを特徴とする遊技機。
【請求項２】
前記異常が発生した場合に特定報知を実行する報知手段と、前記管理手段と電気的に接続されるとともに前記報知手段を制御する報知制御手段と、を備え、前記報知制御手段は、前記絵柄の変化表示が行われている最中に前記異常発生情報が入力された場合、前記絵柄の変化表示が終了する前に前記特定報知を実行させるべく前記報知手段を制御することを特徴とする請求項１に記載の遊技機。
【請求項３】
前記出力処理実行手段は、前記検知処理実行手段が前記異常の発生を検知した場合、前記異常発生情報として発生した異常内容を示す情報を出力し、前記報知制御手段は、前記異常発生情報が入力された場合、当該異常発生情報の示す異常内容と対応する特定報知を実行させるべく前記報知手段を制御することを特徴とする請求項２に記載の遊技機。
【請求項４】
前記報知制御手段は、前記異常発生情報が複数入力された場合に各異常内容を判定する異常内容判定手段と、前記異常内容判定手段の判定結果に基づいて前記報知手段に実行させる特定報知を決定する決定手段と、を備えることを特徴とする請求項３に記載の遊技機。
【請求項５】
前記決定手段は、前記報知手段が第１特定報知を実行している最中に前記異常内容判定手段の判定結果が特定判定結果となった場合、前記報知手段に実行させる特定報知を前記第１特定報知から第２特定報知に切り替えることを特徴とする請求項４に記載の遊技機。
【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
第１始動領域を遊技媒体が通過した後、可変表示の開始を許容する開始条件が成立したことに基づいて各々を識別可能な複数種類の第１識別情報の可変表示を開始し、表示結果を導出表示する第１可変表示部と、第２始動領域を遊技媒体が通過した後、前記開始条件が成立したことに基づいて各々を識別可能な複数種類の第２識別情報の可変表示を開始し、表示結果を導出表示する第２可変表示部を備え、前記第１可変表示部における前記第１識別情報の可変表示と前記第２可変表示部における第２識別情報の可変表示は同時に実行されないものであり、前記第２可変表示手段における前記第２識別情報の可変表示は前記第１可変表示手段における前記第１識別情報の可変表示に優先して実行され、前記第１可変表示部又は前記第２可変表示部において導出表示された表示結果が予め定められた特定表示結果となったことに基づいて特定遊技状態となる遊技機において、
前記第１始動領域を遊技媒体が通過したことに基づいて、少なくとも、前記第１識別情報の可変表示の表示結果を前記特定表示結果とするか否かを決定する為の特定遊技状態決定用数値データを含む表示結果決定用数値データを抽出する数値データ抽出手段と、
前記第１始動領域を遊技媒体が通過したにもかかわらず前記開始条件が成立していない前記第１識別情報の可変表示について、所定の上限数を限度に、前記数値データ抽出手段により抽出された前記表示結果決定用数値データを保留記憶として記憶する保留記憶手段と、
前記開始条件が成立したことに基づいて前記表示結果決定用数値データを用いて、前記第１可変表示部における表示結果を所定表示結果とするか否かを前記第１識別情報の可変表示の表示結果が導出表示される以前に決定する事前決定手段と、
前記事前決定手段による決定以前に、前記第１始動領域を遊技媒体が通過したことに基づいて、前記数値データ抽出手段により抽出された前記表示結果決定用数値データが所定条件を成立させるか否かを判定する始動時判定手段と、
該始動時判定手段による判定に基づいて当該判定の対象となった前記第１識別情報の可変表示が実行される以前に開始される複数回の前記第１識別情報の可変表示において連続演出を実行する演出実行手段と、を備え、
該演出実行手段は、
前記始動時判定手段による判定の対象となった前記第１識別情報の可変表示が前記所定条件としてリーチ状態となる場合に前記連続演出を実行可能であるとともに、
リーチ状態となる前記第１識別情報の可変表示を対象とした前記連続演出が終了する以前に前記第２識別情報の可変表示が開始されたときには、当該第２識別情報の可変表示では前記連続演出の実行を禁止する一方、当該第２識別情報の可変表示の終了後に実行される前記連続演出の対象となった前記第１識別情報の可変表示以前に開始される前記第１識別情報の可変表示において、前記連続演出の実行を再開する
ことを特徴とする遊技機。
【手続補正２】
【補正対象書類名】明細書
【補正対象項目名】００１４
【補正方法】変更
【補正の内容】
【００１４】
予告演出実行手段が、第１識別情報の可変表示を対象とした連続演出の実行中に第２識別情報の可変表示が開始されたときには、予告演出の実行を禁止するように構成すれば、連続演出と予告演出とが混在して実行されて遊技者を混乱させる事態を防止することができる。
【手続補正３】
【補正対象書類名】明細書
【補正対象項目名】００１５
【補正方法】変更
【補正の内容】
【００１５】
事前決定手段の決定結果にもとづいて、可変表示決定用数値データと、複数種類の可変表示パターンに対して判定値が割り当てられた判定値テーブルとを用いて、第１識別情報の可変表示パターンを決定する可変表示パターン決定手段を備え、演出実行手段が、始動時判定手段によって特定の可変表示パターンとなると判定されたことにもとづいて、当該特定の可変表示パターンとなると判定された第１識別情報の可変表示が実行される以前に開始される複数回の第１識別情報の可変表示において連続演出を実行し、判定値テーブルが、特定の可変表示パターンに対しては、保留記憶手段が記憶する保留記憶数にかかわらず、共通の判定値が割り当てられ、特定の可変表示パターン以外の可変表示パターンに対しては、保留記憶手段が記憶する保留記憶数に応じて異なる判定値が割り当てられているように構成すれば、特定の可変表示パターンとなると判定したことにもとづき連続演出を実行する場合に、保留記憶手段が記憶する保留記憶数によって不整合が生じないようにすることができる。また、保留記憶手段が記憶する保留記憶数に従って可変表示時間を異ならせることによって、可変表示の作動率が低下してしまう事態を極力防止することができる。
【手続補正書】
【提出日】平成23年11月11日(2011.11.11)
【手続補正１】
【補正対象書類名】明細書
【補正対象項目名】０００７
【補正方法】変更
【補正の内容】
【０００７】
しかしながら、上述した従来例には次のような問題があった。すなわち、連結タイプの場合、食品成形装置と食品整列装置の設置スペースが２台分と大きくなり、その分作業スペースを大きく取る必要があった。また、装置自体が２台となるため、動作を同期させる制御と機構が複雑化してコストが高くなってしまう。
【手続補正２】
【補正対象書類名】明細書
【補正対象項目名】００３２
【補正方法】変更
【補正の内容】
【００３２】
図１に示すように、通常使用において、米飯成型装置１００は、埃などが内部に侵入しないようにパネルによって覆い隠されており、メンテナンス時にそれらパネルを着脱可能とすることによって、図２に示すような内部構造が現れるようになっている。
【手続補正３】
【補正対象書類名】明細書
【補正対象項目名】００４６
【補正方法】変更
【補正の内容】
【００４６】
搬送部５００は、保持アーム５１０、アーム開閉手段５３０およびＺ軸移動手段５５０が組み込まれた筐体カバー５０１が成形部４００の下流側に配置されており、保護カバー５０１全体がＸ軸移動手段５７０によって左右方向に動くようになっている。
【手続補正４】
【補正対象書類名】明細書
【補正対象項目名】００５２
【補正方法】変更
【補正の内容】
【００５２】
位置ずれ防止手段５１４は、シャリ玉１０の落下方向に対しては緩やかな鈍角面５１５を有し、シャリ玉１０の反落下方向に対しては鋭角面５１６とを交互に備えた鋸歯状に形成されている。
【手続補正５】
【補正対象書類名】明細書
【補正対象項目名】００５７
【補正方法】変更
【補正の内容】
【００５７】
リンクアーム５３１，５３１の上端には、リンクアーム５３１，５３１の先端を常に近接させる方向にバネ付勢するためのバネ機構５３４が設けられている。バネ機構５３４は、リンクアーム５３１，５３１の他端側を水平に繋ぐシャフト５３５と、シャフト５３５を中心に同軸的に差し込まれる圧縮バネ５３６とを含み、リンクアーム５３１，５３１の上端側を常に離反させる方向にバネ付勢することによって、先端側が常に閉じるようにバネ付勢される。
【手続補正６】
【補正対象書類名】明細書
【補正対象項目名】００８０
【補正方法】変更
【補正の内容】
【００８０】
スライダー６６０は、図示しない駆動モータからの回転駆動力をピニオンギア６６２を介して、ステージ６４０の一方の側面（図３では左側面）の一部に設けられた図示しないラックギアに伝達するラック＆ピニオン機構によりＹ軸方向にスライドするようになっている。
【手続補正７】
【補正対象書類名】明細書
【補正対象項目名】００９２
【補正方法】変更
【補正の内容】
【００９２】
併せて、図１０（ａ）〜（ｄ）に示すように、保持アーム５１０の正面側（図１０では左側面）に設けられた押圧レバー５９１が保持アーム５１０の下降動作に伴って回転し、先端の押圧面５９２がシャリ玉１０の上面を押圧して、シャリ玉１０を保持アーム５１０から確実に取り外す。
【手続補正８】
【補正対象書類名】明細書
【補正対象項目名】００９８
【補正方法】変更
【補正の内容】
【００９８】
上述した搬送処理を順次行い、トレー６１０のＸ軸方向にシャリ玉１０が敷き詰められると、制御部は、Ｙ軸移動手段６３０に「スライド」指令を出し、指令を受けて、Ｙ軸移動手段６３０は、駆動モータを介してステージ６４０を所定量だけ前進させる。
【手続補正９】
【補正対象書類名】明細書
【補正対象項目名】００９９
【補正方法】変更
【補正の内容】
【００９９】
以上の一連の工程を繰り返し、トレー６１０の上に規定量のシャリ玉１０が敷き詰められたのを確認すると、制御部は、Ｙ軸移動手段６３０を介してトレー６１０を取り出し位置まで移動させる。しかるのち、制御部は搬送部５００を初期位置まで戻すとともに、最後にブザーなどで成形完了を作業者に知らせる。
【手続補正１０】
【補正対象書類名】図面
【補正対象項目名】図３
【補正方法】変更
【補正の内容】
【図３】
2010119362.tif 000001
【手続補正１１】
【補正対象書類名】図面
【補正対象項目名】図４
【補正方法】変更
【補正の内容】
【図４】
2010119362.tif 000002
【手続補正書】
【提出日】平成23年11月11日(2011.11.11)
【手続補正１】
【補正対象書類名】明細書
【補正対象項目名】０００３
【補正方法】変更
【補正の内容】
【０００３】
図９を併せて参照して、成形部１は、所定の水平回転軸を中心に互いに相反する方向に回転する一対の成形ローラ２，２と、成形ローラ２，２の端面を支持する一対の支持パネル４，４とを有し、成形ローラ２，２の間に上流側からすし飯を送り込み、各成形ローラ２，２の外表面に形成された凹型面３ですし飯１０を挟み込んで圧縮することにより、俵状のシャリ玉１０が下流側から開放され、トレーＴの上に落ちるようになっている。
【手続補正２】
【補正対象書類名】明細書
【補正対象項目名】０００４
【補正方法】変更
【補正の内容】
【０００４】
しかしながら、この成形ローラ２，２を用いた成形方法には、次のような問題があった。すなわち、一般にすし飯は粘り気が強いために、図９（ｂ）に示すように、凹型面３ですし飯を挟み込んで圧縮した際にシャリ玉１０が凹型面３に貼り付き、斜めに傾いた姿勢でトレーや受け台などの放出面に落ちることがあった。
【手続補正３】
【補正対象書類名】明細書
【補正対象項目名】０００６
【補正方法】変更
【補正の内容】
【０００６】
シャリ玉１０が斜めに落下した場合、落下の勢いによって変形したり、崩れたりするおそれがあった。また、落下した拍子にシャリ玉１０がトレーＴの上で横に転がったりして位置や向きが変わり、次の工程をおこなうための放出部に移す際にシャリ玉１０の向きや位置を修正する必要があった。
【手続補正４】
【補正対象書類名】明細書
【補正対象項目名】００２０
【補正方法】変更
【補正の内容】
【００２０】
図１〜図４に示すように、この米飯成形装置１００は、米飯（すし飯）が投入されるホッパー２００と、ホッパー２００から供給されたすし飯を圧縮しながら送り出す圧縮部３００と、圧縮されたすし飯を所定の形状に成形する成形部４００と、成形された米飯成形物（シャリ玉１０：図４参照）を所定の場所に搬送する搬送部５００と、搬送部５００から搬送されたシャリ玉１０を一時的に蓄えておく保管部６００とを備えている。
【手続補正５】
【補正対象書類名】明細書
【補正対象項目名】００２２
【補正方法】変更
【補正の内容】
【００２２】
図１に示すように、通常使用において、米飯成形装置１００は、埃などが内部に侵入しないようにパネルによって覆い隠されており、メンテナンス時にそれらパネルを着脱可能とすることによって、図２に示すような内部構造が現れるようになっている。
【手続補正６】
【補正対象書類名】明細書
【補正対象項目名】００３０
【補正方法】変更
【補正の内容】
【００３０】
図５を併せて参照して、成形部４００は、圧縮部３００の下流側に配置された一対の成形ローラ４１０，４１０と、成形ローラ４１０，４１０の軸方向の両端面を支持する一対の支持パネル４５０，４５０とを備えている。各成形ローラ４１０，４１０はともに同一形状の合成樹脂製で、それらが互いに相反する方向に同期的に回転するように設計されている。
【手続補正７】
【補正対象書類名】明細書
【補正対象項目名】００３６
【補正方法】変更
【補正の内容】
【００３６】
支持パネル４５０の中央には、成形ローラ４１０の凹型面４２０の切欠部４２１から押し出された米飯を受け止めて、下流へと案内するガイド部４６０が設けられている。ガイド部４６０は、支持パネル４５０の表面（成形ローラ４１０の対向面）から所定深さ凹ませたガイド溝からなる。ガイド部４６０は、各成形ローラ４１０，４１０の突き合わせ面を中心とする垂直軸線に沿って同軸的に形成されている。
【手続補正８】
【補正対象書類名】明細書
【補正対象項目名】００４２
【補正方法】変更
【補正の内容】
【００４２】
搬送部５００は、保持アーム５１０、アーム開閉手段５３０およびＺ軸移動手段５５０が組み込まれた筐体カバー５０１が成形部４００の下流側に配置されており、保護カバー５０１全体がＸ軸移動手段５７０によって左右方向に動くようになっている。
【手続補正９】
【補正対象書類名】明細書
【補正対象項目名】００５７
【補正方法】変更
【補正の内容】
【００５７】
所定のＸ軸位置に移動させたのち、制御部は次に、Ｚ軸移動手段５５０に下降指令を出す。下降指令を受け、Ｚ軸移動手段５５０は、図示しない駆動モータにより保持アーム５１０を下降させたのち、併せてアーム開閉手段５３０に「アーム開」指令を出し、保持アーム５１０の先端を開いてシャリ玉１０をトレー６１０の上にリリースする。
【手続補正１０】
【補正対象書類名】明細書
【補正対象項目名】００５８
【補正方法】変更
【補正の内容】
【００５８】
しかるのち、制御部は、アーム開閉手段５３０に「アーム中立」指令を出す。これを受けて、アーム開閉手段５３０は、中立位置に保持アーム５１０を戻す。さらに、Ｚ軸移動手段５５０にも「初期位置」指令を出し、保持アーム５１０を初期位置まで持ち上げる。さらには、Ｘ軸移動手段５７０にも同様の「初期位置」指令を出し、搬送部５００の筐体５０１を初期位置に戻す。
【手続補正１１】
【補正対象書類名】明細書
【補正対象項目名】００５９
【補正方法】変更
【補正の内容】
【００５９】
以上の一連の工程を繰り返し、トレー６１０の上に規定量のシャリ玉１０が敷き詰められたのを確認すると、制御部は、Ｙ軸移動手段６３０を介してトレー６１０を取り出し位置まで移動させる。しかるのち、制御部は搬送部５００を初期位置まで戻すとともに、最後にブザーなどで成形完了を作業者に知らせる。
【手続補正１２】
【補正対象書類名】図面
【補正対象項目名】図４
【補正方法】変更
【補正の内容】
【図４】
2010119361.tif 000001
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
車体（２）の後側に昇降リンク装置（３）を介して苗植付部（４）を設け、苗植付部（４）は、後下がりに傾斜する苗載部（８０）の下端後方でその苗を取出して植付けする植付装置（２００）を植付け条と対応して機体に並列して搭載するとともに、これら横並びの植付装置（２００）に共通伝動する植付主軸（７０）をその前端近傍に備え、外側端の植付装置（２００）を植付主軸（７０）とともに内側に折畳み可能に構成した苗移植機において、
上記外側端の植付装置（２００）に伝動する植付主軸（７０）の折畳み可能な外側部（７０Ｂ）を展開支持位置に固定するための規制部（２２１ａ）を形成したロックアーム（２２１）を設け、このロックアーム（２２１）は、その規制部（２２１ａ）が固定位置から解除位置に及ぶ範囲（Ａ）を揺動可能に軸支する軸支部（２２３）を備え、固定位置においてその規制部（２２１ａ）と軸支部（２２３）を植付主軸（７０）の前側に上下に振り分けて配置したことを特徴とする苗移植機。
【請求項２】
前記ロックアーム（２２１）は、固定位置においてその規制部（２２１ａ）から機体前側に突出するように屈曲してなる揺動操作用の把持部（２２４）を備えることを特徴とする請求項１記載の苗移植機。
【請求項３】
外側端の植付装置（２００）を内側に折畳んだ時、植付け深さを最深とする位置にフロート（２１０）を制御する構成としたことを特徴とする請求項１又は請求項２記載の苗移植機。
【請求項４】
苗植付部（４）の後部には後方の物体を検出する接近センサー（２５１）を設け、接近センサー（２５１）の検出に基づいて苗植付部（４）の稼動及び上下動を停止する制御部（Ｃ）を設けたことを特徴とする請求項１から請求項３の何れか１項に記載の苗移植機。
【手続補正２】
【補正対象書類名】明細書
【補正対象項目名】０００６
【補正方法】変更
【補正の内容】
【０００６】
請求項１に係る発明は、車体の後側に昇降リンク装置を介して苗植付部を設け、苗植付部は、後下がりに傾斜する苗載部の下端後方でその苗を取出して植付けする植付装置を植付け条と対応して機体に並列して搭載するとともに、これら横並びの植付装置に共通伝動する植付主軸をその前端近傍に備え、外側端の植付装置を植付主軸とともに内側に折畳み可能に構成した苗移植機において、上記外側端の植付装置に伝動する植付主軸の折畳み可能な外側部を展開支持位置に固定するための規制部を形成したロックアームを設け、このロックアームは、その規制部が固定位置から解除位置に及ぶ範囲を揺動可能に軸支する軸支部を備え、固定位置においてその規制部と軸支部を植付主軸の前側に上下に振り分けて配置したことを特徴とする。上記ロックアームは、苗載部の下側で植付主軸の前側の開放空間に臨んで配置される。
【手続補正３】
【補正対象書類名】明細書
【補正対象項目名】０００７
【補正方法】変更
【補正の内容】
【０００７】
請求項２の発明は、請求項１の構成において、前記ロックアームは、固定位置においてその規制部から機体前側に突出するように屈曲してなる揺動操作用の把持部を備えることを特徴とする。上記ロックアームは、規制部に近接する把持部を介して規制部に効率よく操作力が作用する。
請求項３の発明は、外側端の植付装置（２００）を内側に折畳んだ時、植付け深さを最深とする位置にフロート（２１０）を制御する構成としたことを特徴とする請求項１又は請求項２記載の苗移植機とする。
請求項４の発明は、苗植付部（４）の後部には後方の物体を検出する接近センサー（２５１）を設け、接近センサー（２５１）の検出に基づいて苗植付部（４）の稼動及び上下動を停止する制御部（Ｃ）を設けたことを特徴とする請求項１から請求項３の何れか１項に記載の苗移植機とする。
【手続補正４】
【補正対象書類名】明細書
【補正対象項目名】００２５
【補正方法】変更
【補正の内容】
【００２５】
この苗移植機１は、運搬時や格納時に苗植付部４の左右幅を縮小させるための構成が各所に施されている。まず、苗載部８０の左右端部を折りたたむ構成について説明する（図６〜図１０参照）。
【手続補正５】
【補正対象書類名】明細書
【補正対象項目名】００８８
【補正方法】変更
【補正の内容】
【００８８】
洗浄（噴霧）装置に用いられるフィルター１６０は、上下２重の濾過網１６１と１６２とからなり、下側の濾過網１６１は固定とし、上側の濾過網１６２は羽根車１６３の下端に取り付けられて軸芯１６４回りに自由回転自在に軸架され、水の入る勢いで旋回するようになっている。２重濾過網によるフィルターであっても、フィルターにゴミが詰まってしまい、使用の途中で水の流れが悪くなる。本例のように、上記構成によると、フィルターの目詰りが、入ってくる水の勢いで回転する上側濾過網の回転と、これに伴う水の旋回流とによって防止できる。
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
遊技機と、前記遊技機に併設されると共に、有価価値情報に基づく球貸、前記遊技機における遊技実行のために使用している遊技球の個数を計数可能であり、この計数した数値を持球数データとして記憶し、遊技者の操作によって前記持球数データを貯球情報として記録媒体に記録する精算を行う球貸精算機とにより構成された遊技装置において、
遊技の実行により払出条件が成立したとき、所定の賞球数の遊技球を遊技者に付与する払出手段と、
遊技者の返却操作により前記遊技球の個数を計数可能であり、この計数した数値を前記持球数データとして加算する持球数加算手段と、
遊技者の操作によって前記持球数データを所定数の遊技球に交換可能とし、この交換した遊技球の個数を前記持球数データから減算する持球数減算手段と、
遊技者によって操作可能な精算指令入力手段の検出に基づき、前記持球数データの全てを前記貯球情報として遊技者が持出可能な前記記録媒体に記録する精算制御手段と、
遊技機外部からの電波ノイズが所定の水準である旨を自ら検知する外部ノイズ検知手段と、
前記外部ノイズ検知手段によって前記電波ノイズが前記所定の水準であると検知したとき、遊技者の操作を介することなく前記精算制御手段を行い、前記持球数データを保護する保護精算制御手段と、を備えることを特徴とする遊技装置。
【請求項２】
遊技盤の前面に形成される遊技領域に向けて遊技球を打ち込むことにより、前記遊技機における遊技が実行されることを特徴とする請求項１記載の遊技装置。
【請求項３】
遊技盤の遊技領域に設けられた複数の入賞口への遊技球の入球に基づいて、前記払出条件が成立することを特徴とする請求項１又は請求項２に記載の遊技装置。
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
下記一般式（１）で表されるペロブスカイト型複合酸化物からなることを特徴とする圧電材料。
【化１】
2009256186.tif 000001
（式中、ＡはＢｉ元素であり、Ａ’はＬａを含む希土類元素であり、ＢはＴｉ、Ｚｎを含み、かつＴｉ、Ｚｎ、Ｓｎ、及びＺｒから選択される少なくとも２種以上の元素であり、Ａ’’はＢａ、Ｓｒ、及びＣａから選択される少なくとも１種以上の元素であり、Ｂ’は２から６価の元素から選択される少なくとも１種以上の元素である。ｘは０．１０≦ｘ≦０．９５、ｙは０＜ｙ≦０．５、ｚは０≦ｚ≦０．７の数値を表す。但し、ｘ＋ｙ＋ｚ＝１である。）
【請求項２】
前記ＢがＺｎとＴｉからなることを特徴とする請求項１記載の圧電材料。
【請求項３】
前記Ａ’’Ｂ’Ｏ３のＢ’が、Ｓｃ３＋、Ｆｅ３＋、Ｙｂ３＋、Ｍｇ２＋、Ｍｎ２＋、Ｍｎ３＋、Ｃｏ２＋、Ｚｎ２＋、Ｉｎ３＋、Ｔｉ４＋、Ｚｒ４＋、Ｓｎ４＋、Ｎｂ５＋、Ｔａ５＋、Ｔｅ６＋から選択される少なくとも１種以上の元素であることを特徴とする請求項１または２記載の圧電材料。
【請求項４】
前記Ａ’’Ｂ’Ｏ３はＢａＴｉＯ３であることを特徴とする請求項１乃至３のいずれかの項に記載の圧電材料。
【請求項５】
前記一般式（１）で表されるペロブスカイト型複合酸化物が、ｘ＋ｙ＋ｚ＝１で、（ｘ、ｙ、ｚ）の値が、ａ（０．４０、０．００、０．６０）、ｂ（０．２６、０．０８、０．６６）、ｃ（０．２０、０．２０、０．６０）、ｄ（０．３０、０．４４、０．２６）、ｅ（０．５２、０．３９、０．０９）、ｆ（０．７０、０．２４、０．０６）、ｇ（０．９０、０．００、０．１０）で示すａ、ｂ、ｃ、ｄ、ｅ、ｆ、ｇで囲まれるモル比の範囲内にある組成を有することを特徴とする請求項１乃至４のいずれかの項に記載の圧電材料。
【手続補正２】
【補正対象書類名】明細書
【補正対象項目名】００１２
【補正方法】変更
【補正の内容】
【００１２】
（式中、ＡはＢｉ元素であり、Ａ’はＬａを含む希土類元素であり、ＢはＴｉ、Ｚｎを含み、かつＴｉ、Ｚｎ、Ｓｎ、及びＺｒから選択される少なくとも２種以上の元素であり、Ａ’’はＢａ、Ｓｒ、及びＣａから選択される少なくとも１種以上の元素であり、Ｂ’は２から６価の元素から選択される少なくとも１種以上の元素である。ｘは０．１０≦ｘ≦０．９５、ｙは０＜ｙ≦０．５、ｚは０≦ｚ≦０．７の数値を表す。但し、ｘ＋ｙ＋ｚ＝１である。）
前記ＢがＺｎとＴｉからなることが好ましい。
【手続補正書】
【提出日】平成24年2月25日(2012.2.25)
【手続補正１】
【補正対象書類名】特許請求の範囲
【補正対象項目名】全文
【補正方法】変更
【補正の内容】
【特許請求の範囲】
【請求項１】
一方の面に、金属窒化物を含む第１の光吸収層と、前記第１の光吸収層に接して形成された材料層とを有し、他方の面に、金属窒化物を含む第２の光吸収層を有する第１の基板を用い、
前記第１の基板の前記材料層が形成された前記一方の面と、第２の基板の被成膜面とを対向させ、
前記第１の基板の前記第２の光吸収層を有する前記他方の面側から周波数１０ＭＨｚ以上、パルス幅１００ｆｓ以上１０ｎｓ以下のレーザ光を照射し、前記第１の光吸収層と重なる位置にある前記材料層を加熱し、前記材料層の一部を前記第２の基板の被成膜面に成膜することを特徴とする成膜方法。
【請求項２】
請求項１において、
前記金属窒化物は、窒化チタン、窒化タンタル、窒化モリブデン、窒化タングステン、窒化クロムのいずれかであることを特徴とする成膜方法。
【請求項３】
請求項１または請求項２において、
前記第１の光吸収層及び前記第２の光吸収層における窒素原子の含有量は、金属原子を１とすると、０．１以上１．３以下の割合であることを特徴とする成膜方法。
【請求項４】
請求項１乃至請求項３のいずれか一において、
前記第１の光吸収層が島状に形成されていることを特徴とする成膜方法。
【請求項５】
請求項１乃至請求項４のいずれか一において、
前記第１の光吸収層がストライプ状に形成されていることを特徴とする成膜方法。
【請求項６】
請求項１乃至請求項５のいずれか一に記載の成膜方法を用い、
前記材料層の一部を、前記第２の基板の被成膜面上に形成されている第１の電極上に成膜することを特徴とする発光装置の作製方法。
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
色材及び水溶性有機溶剤を含有するインクジェット用インクであって、
前記色材の含有量が、インク全質量を基準として、７．０質量％未満であり、
前記水溶性有機溶剤が、グリセリン、及び、主鎖の両末端に水酸基を有する分岐アルカンジオールを含み、
前記グリセリンの含有量Ｃが、インク全質量を基準として、６．０質量％以上１２．０質量％以下であり、
前記主鎖の両末端に水酸基を有する分岐アルカンジオールの含有量Ａが、インク全質量を基準として、４．０質量％以上１１．０質量％以下であり、
前記主鎖の両末端に水酸基を有する分岐アルカンジオールの含有量Ａ、及び、インク全質量を基準とした前記水溶性有機溶剤の含有量の合計Ｂが、０．３０≦Ａ／Ｂ≦０．５０の関係を満たすことを特徴とするインクジェット用インク。
【請求項２】
前記水溶性有機溶剤の含有量の合計Ｂが、インク全質量を基準として、１４．０質量％以上３５．０質量％以下である請求項１に記載のインクジェット用インク。
【請求項３】
前記主鎖の両末端に水酸基を有する分岐アルカンジオールの炭素原子の総数が、５以上９以下である請求項１又は２に記載のインクジェット用インク。
【請求項４】
前記主鎖の両末端に水酸基を有する分岐アルカンジオールが、３−メチル−１，５−ペンタンジオールである請求項１乃至３のいずれか１項に記載のインクジェット用インク。
【請求項５】
前記色材が染料である請求項１乃至４のいずれか１項に記載のインクジェット用インク。
【請求項６】
インクをインクジェット方式で吐出して記録媒体に記録を行うインクジェット記録方法であって、前記インクが、請求項１乃至５のいずれか１項に記載のインクジェット用インクであることを特徴とするインクジェット記録方法。
【請求項７】
インクを収容するインク収容部を備えたインクカートリッジであって、前記インクが、請求項１乃至５のいずれか１項に記載のインクジェット用インクであることを特徴とするインクカートリッジ。
【請求項８】
インクを収容するインク収容部と、インクを吐出するための記録ヘッドとを備えたインクジェット記録装置であって、前記インクが、請求項１乃至５のいずれか１項に記載のインクジェット用インクであることを特徴とするインクジェット記録装置。
【手続補正２】
【補正対象書類名】明細書
【補正対象項目名】発明の名称
【補正方法】変更
【補正の内容】
【発明の名称】インクジェット用インク、インクジェット記録方法、インクカートリッジ、及びインクジェット記録装置
【手続補正３】
【補正対象書類名】明細書
【補正対象項目名】０００１
【補正方法】変更
【補正の内容】
【０００１】
本発明は、インクジェット用インク、インクジェット記録方法、インクカートリッジ、及びインクジェット記録装置に関する。
【手続補正４】
【補正対象書類名】明細書
【補正対象項目名】０００９
【補正方法】変更
【補正の内容】
【０００９】
したがって、本発明の目的は、長期間放置しても色材の析出や固化が起こりにくい性質、すなわち、インクの安定性が良好であって、低温低湿の環境下だけでなく、高温低湿の環境下での間欠吐出安定性にも優れたインクジェット用インクを提供することにある。また、本発明の別の目的は、前記インクジェット用インクを用いたインクジェット記録方法、インクカートリッジ、及びインクジェット記録装置を提供することにある。
【手続補正５】
【補正対象書類名】明細書
【補正対象項目名】００１０
【補正方法】変更
【補正の内容】
【００１０】
上記の目的は以下の本発明によって達成される。すなわち、本発明にかかるインクジェット用インクは、色材及び水溶性有機溶剤を含有するインクジェット用インクであって、前記色材の含有量が、インク全質量を基準として、７．０質量％未満であり、前記水溶性有機溶剤が、グリセリン、及び、主鎖の両末端に水酸基を有する分岐アルカンジオールを含み、前記グリセリンの含有量Ｃが、インク全質量を基準として、６．０質量％以上１２．０質量％以下であり、前記主鎖の両末端に水酸基を有する分岐アルカンジオールの含有量Ａが、インク全質量を基準として、４．０質量％以上１１．０質量％以下であり、前記主鎖の両末端に水酸基を有する分岐アルカンジオールの含有量Ａ、及び、インク全質量を基準とした前記水溶性有機溶剤の含有量の合計Ｂが、０．３０≦Ａ／Ｂ≦０．５０、の関係を満たすことを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１５
【補正方法】変更
【補正の内容】
【００１５】
本発明によれば、インク中の水分の蒸発が進行した際にも良好なインクの安定性を保持することができ、さらには、低温低湿や高温低湿などの様々な環境下において、優れた間欠吐出安定性を有するインクジェット用インクを提供することができる。また、本発明の別の実施態様によれば、前記インクジェット用インクを用いたインクジェット記録方法、インクカートリッジ、及びインクジェット記録装置を提供することができる。